(57)【特許請求の範囲】
【請求項１】
動画を記録／再生することができ、且つランダムアクセスできるメモリ装置とテープ状媒体再生装置からなる映像再生装置であって、
上記テープ状媒体再生装置からの映像信号を、第１の所定時間前から現時点までを上記メモリ装置に常に記録し、
リプレイ釦を押してリプレイが指示されたときには、第２の所定時間を上記リプレイ釦の押された回数倍した第３の所定時間前からであって上記第３の所定時間の最大が上記第１の所定時間前を超えないリプレイ時間分、上記テープ状媒体再生装置からの映像信号に代えて、上記メモリ装置によって再生された映像信号を選択的に出力しリプレイ動作させて、
上記リプレイ動作中は上記テープ状媒体再生装置の再生動作を一次停止させ、上記リプレイ動作の終了と同時に一時停止を解除し、上記テープ状媒体再生装置の再生動作をスタートするように制御することを特徴とするリプレイ機能を有する映像再生装置。
【請求項２】
請求項１に記載の映像再生装置において、
リプレイが指示されたときに、上記テープ状媒体再生装置の再生位置を所定量戻しておき、上記リプレイ動作が終了する前に再生をスタートさせ、上記リプレイ動作終了の直前から終了までの間で、再生映像信号を上記メモリ装置によるものから、上記テープ状媒体再生装置の再生映像信号に切り換えるようにしたことを特徴とするリプレイ機能を有する映像再生装置。
【請求項３】
動画を記録／再生することができ、且つランダムアクセスできるメモリ装置とテープ状媒体再生装置からなる映像再生装置とテレビジョンモニタとを備え、
上記映像再生装置は、
上記テープ状媒体再生装置からの映像信号を、第１の所定時間前から現時点までを上記メモリ装置に常に記録し、
リプレイ釦を押してリプレイが指示されたときには、第２の所定時間を上記リプレイ釦の押された回数倍した第３の所定時間前からであって上記第３の所定時間の最大が上記第１の所定時間前を超えないリプレイ時間分、上記テープ状媒体再生装置からの映像信号に代えて、上記メモリ装置によって再生された映像信号を選択的に出力しリプレイ動作させて、
上記リプレイ動作中は上記テープ状媒体再生装置の再生動作を一次停止させ、上記リプレイ動作の終了と同時に一時停止を解除し、上記テープ状媒体再生装置の再生動作をスタートするように構成され、
上記テレビジョンモニタに対して上記映像再生装置からの映像信号が供給されるようにしたことを特徴とする映像装置。
【請求項４】
ビデオカメラと、動画を記録／再生することができ、且つランダムアクセスできるメモリ装置と、上記ビデオカメラの撮像信号を記録／再生するテープ状媒体記録／再生装置からなる映像再生装置を備え、
上記映像再生装置は、
上記テープ状媒体再生装置からの映像信号を、第１の所定時間前から現時点までを上記メモリ装置に常に記録し、
リプレイ釦を押してリプレイが指示されたときには、第２の所定時間を上記リプレイ釦を押された回数倍して第３の所定時間前からであって上記第３の所定時間の最大が上記第１の所定時間前を超えないリプレイ時間分、上記テープ状媒体再生装置からの映像信号に代えて、上記メモリ装置によって再生された映像信号を選択的に出力しリプレイ動作させて、
上記リプレイ動作中は上記テープ状媒体再生装置の再生動作を一次停止させ、上記リプレイ動作の終了と同時に一時停止を解除し、上記テープ状媒体再生装置の再生動作をスタートするように構成されることを特徴とする映像装置。
【請求項５】
テレビジョン装置に映像信号を供給するテープ状媒体再生装置の一次停止機能を、上記テレビジョン装置側からコントロールできるように構成され、
上記テレビジョン装置に動画を記録／再生することができる、且つランダムアクセスできるメモリ装置を内蔵し、
上記テレビジョン装置に映しだされる映像信号を、第１の所定時間前から現時点までを上記メモリ装置に常に記録し、
リプレイ釦を押してリプレイが指示されたときには、第２の所定時間を上記リプレイ釦の押された回数倍した第３の所定時間前からであって上記第３の所定時間の最大が上記第１の所定時間前を超えないリプレイ時間分、上記テープ状媒体再生装置からの映像信号に代えて、上記メモリ装置によって再生された映像信号を選択的に出力しリプレイ動作させて、
上記リプレイが指示されたときには、上記テレビジョン装置から上記テープ状媒体再生装置をコントロールし、上記テープ状媒体再生装置を一次停止させ、
上記リプレイ動作が終了するときには、上記テレビジョン装置から上記テープ状媒体再生装置をコントロールし、上記テープ状媒体再生装置の一次停止を解除して再び上記テープ状媒体再生装置の映像信号を出力するようにしたことを特徴とするテレビジョン装置。
【請求項６】
請求項５に記載のテレビジョン装置において、
リプレイが指示されたときに、上記テープ状媒体再生装置の再生位置を所定量戻しておき、上記リプレイ動作が終了する前に再生をスタートさせ、上記リプレイ動作終了の直前から終了までの間で、再生映像信号を上記メモリ装置によるものから、上記テープ状媒体再生装置の再生映像信号に切り換えるようにしたことを特徴とするテレビジョン装置。
【請求項７】
請求項５に記載のテレビジョン装置において、
ＶＴＲ一体型ビデオカメラ装置を装着可能となし、
装着時には上記ＶＴＲ一体型ビデオカメラ装置側から再生された映像信号が上記テレビジョン装置に供給され、
上記テレビジョン装置側から上記ＶＴＲ一体型ビデオカメラ装置側に対して、少なくとも上記ＶＴＲ一体型ビデオカメラ装置の再生時の一次停止機能をコントロールするように構成されたことを特徴とするテレビジョン装置。
【発明の詳細な説明】
【０００１】
【発明の属する技術分野】
この発明は、映像信号を再生する、例えば、ＶＴＲ（ビデオテープレコーダ）再生装置と、動画像を記録再生することができるメモリ装置とをテレビジョン本体に内蔵させ、リプレイされた映像を瞬時にテレビジョンの画面上に映しだせるようにした映像再生装置、映像装置およびテレビジョン装置に関する。
【０００２】
【従来の技術】
従来、例えば、家庭用ＶＴＲ一体型ビデオカメラによって、家族を撮影した場合、感動する場面や、思わず笑いだすような決定的瞬間が多々ある。感動する場面や、思わず笑いだすような決定的瞬間とは、例えば、赤ちゃんが初めて立って歩いた場面、運動会で子供がテープを切り一等になった瞬間、海水浴で後ろからの波をかぶってしまった決定的瞬間、滑って転んだ決定的瞬間などであり、このような数多くの映像が家庭用ＶＴＲ一体型ビデオカメラで撮影される。
【０００３】
このような映像は、テレビ番組では、よくリプレイ（再生し終わった映像部分を、再び巻き戻して再生する）され、視聴者が再び映像を見て何度も楽しむことができる。家庭で映像をリプレイする場合には、映像再生中に、ＶＴＲ再生装置のリモートコマンダ或いはマニュアルで巻き戻し釦を押す。そして、一旦、巻き戻し再生状態としてテープを巻き戻し、リプレイしたい映像の始まりまで来たら、巻き戻し釦から指を離す。この操作により、リプレイしたい映像の始まりから再生され、その映像を見ることができる。
【０００４】
また、他の方法として、テレビジョン装置に画像を特殊効果するような装置、例えばメモリ装置を内蔵し、テレビジョン装置が映しだしている映像を静止画として、メモリ装置に記録する。そして、このメモリ装置に記録された静止画を、テレビジョン装置の画面上に映しだすものがあった。
【０００５】
【発明が解決しようとする課題】
しかしながら、上述のＶＴＲ再生装置では、リプレイして見ようとする場合には、一旦、巻き戻し状態とする必要があり、時間がかかるものであった。さらに、ＶＴＲ再生装置の操作について余り詳しくない人にとっては、面倒で操作しずらいものであった。
【０００６】
また、上述のテレビジョン装置にメモリ装置を内蔵する場合、静止画をテレビジョン装置の画面上に映しだして見ている間に、ＶＴＲ再生装置は再生状態を続けている。そして、画面上の静止画を見終わり、静止画を見る前の再生映像の続きを見ようとしても、テープが静止画を見ている間に、ＶＴＲ再生装置が再生状態を続けており、静止画を見ている間の時間分だけテープが先に進んでしまっている。よって、静止画を見る前の再生映像の続きを見る場合には、静止画を見ている間の時間分だけ、テープを巻き戻す必要が生じる。
【０００７】
このように、面倒な操作、余計な時間が無く、釦を押すだけでワンタッチで瞬時にリプレイされ、感動する場面では、繰り返し感動でき、爆笑の場面でも同様に繰り返し爆笑できるものが求められていた。
【０００８】
従って、この発明の目的は、瞬時に見たい映像をリプレイすることができ、さらに、リプレイの映像を見終わった後でもテープを巻き戻さずに再生映像の続きから見ることができる映像再生装置、映像装置およびテレビジョン装置を提供するものである。
【０００９】
【課題を解決するための手段】
この発明は、動画を記録／再生することができ、且つランダムアクセスできるメモリ装置とテープ状媒体再生装置からなる映像再生装置であって、テープ状媒体再生装置からの映像信号を、第１の所定時間前から現時点までをメモリ装置に常に記録し、リプレイ釦を押してリプレイが指示されたときには、第２の所定時間をリプレイ釦の押された回数倍した第３の所定時間前からであって第３の所定時間の最大が第１の所定時間前を超えないリプレイ時間分、テープ状媒体再生装置からの映像信号に代えて、メモリ装置によって再生された映像信号を選択的に出力しリプレイ動作させて、リプレイ動作中はテープ状媒体再生装置の再生動作を一次停止させ、リプレイ動作の終了と同時に一時停止を解除し、テープ状媒体再生装置の再生動作をスタートするように制御することを特徴とするリプレイ機能を有する映像再生装置である。
【００１０】
また、この発明は、動画を記録／再生することができ、且つランダムアクセスできるメモリ装置とテープ状媒体再生装置からなる映像再生装置とテレビジョンモニタとを備え、映像再生装置は、テープ状媒体再生装置からの映像信号を、第１の所定時間前から現時点までをメモリ装置に常に記録し、リプレイ釦を押してリプレイが指示されたときには、第２の所定時間をリプレイ釦の押された回数倍した第３の所定時間前からであって第３の所定時間の最大が第１の所定時間前を超えないリプレイ時間分、テープ状媒体再生装置からの映像信号に代えて、メモリ装置によって再生された映像信号を選択的に出力しリプレイ動作させて、リプレイ動作中はテープ状媒体再生装置の再生動作を一次停止させ、リプレイ動作の終了と同時に一時停止を解除し、テープ状媒体再生装置の再生動作をスタートするように構成され、テレビジョンモニタに対して映像再生装置からの映像信号が供給されるようにしたことを特徴とする映像装置である。
また、この発明は、ビデオカメラと、動画を記録／再生することができ、且つランダムアクセスできるメモリ装置と、ビデオカメラの撮像信号を記録／再生するテープ状媒体記録／再生装置からなる映像再生装置を備え、映像再生装置は、テープ状媒体再生装置からの映像信号を、第１の所定時間前から現時点までをメモリ装置に常に記録し、リプレイ釦を押してリプレイが指示されたときには、第２の所定時間をリプレイ釦を押された回数倍して第３の所定時間前からであって第３の所定時間の最大が第１の所定時間前を超えないリプレイ時間分、テープ状媒体再生装置からの映像信号に代えて、メモリ装置によって再生された映像信号を選択的に出力しリプレイ動作させて、リプレイ動作中はテープ状媒体再生装置の再生動作を一次停止させ、リプレイ動作の終了と同時に一時停止を解除し、テープ状媒体再生装置の再生動作をスタートするように構成されることを特徴とする映像装置である。
また、この発明は、テレビジョン装置に映像信号を供給するテープ状媒体再生装置の一次停止機能を、テレビジョン装置側からコントロールできるように構成され、テレビジョン装置に動画を記録／再生することができる、且つランダムアクセスできるメモリ装置を内蔵し、テレビジョン装置に映しだされる映像信号を、第１の所定時間前から現時点までをメモリ装置に常に記録し、リプレイ釦を押してリプレイが指示されたときには、第２の所定時間をリプレイ釦の押された回数倍した第３の所定時間前からであって第３の所定時間の最大が第１の所定時間前を超えないリプレイ時間分、テープ状媒体再生装置からの映像信号に代えて、メモリ装置によって再生された映像信号を選択的に出力しリプレイ動作させて、リプレイが指示されたときには、テレビジョン装置からテープ状媒体再生装置をコントロールし、テープ状媒体再生装置を一次停止させ、リプレイ動作が終了するときには、テレビジョン装置からテープ状媒体再生装置をコントロールし、テープ状媒体再生装置の一次停止を解除して再びテープ状媒体再生装置の映像信号を出力するようにしたことを特徴とするテレビジョン装置である。
【００１１】
ＶＴＲ再生装置からの再生映像を、メモリ装置で一定時間、常に記憶する。そして、リプレイされる場合には、このメモリ装置に記録された映像が出力され、これにより、リプレイされた映像を瞬時に見ることができる。また、このような特殊再生中（リプレイ中）には、ＶＴＲ再生装置のテープを一時停止させ、リプレイ終了の少し前からテープを再び再生し始め、リプレイ終了と同時にＶＴＲ再生装置からの再生映像に切り換えられる。これにより、メモリ装置による再生か、或いは、テープの巻き戻しによる再生かを気にせず、リプレイの映像を見終わった後でもテープを巻き戻さずに再生映像の続きから見ることができる。
【００１２】
【発明の実施の形態】
以下、この発明の第１および第２の実施例について、図面を参照して説明する。図１に、この発明が適用できる第１の実施例のリプレイ機能を有する映像再生装置の斜視図を示す。図１において、１のリプレイ機能付き映像再生装置は、主に、映像を映しだすためのテレビモニタ２、映像を記憶するためのランダムアクセスメモリであるハードディスク３、テープを再生するためのＶＴＲ再生装置４、キャビネット上に配置される動作命令のための操作釦５（リプレイ釦を含む）から構成される。
【００１３】
図２に、第１の実施例のリプレイ機能を有する映像再生装置の回路構成を示す。図２は、図１に対応するものである。図２において、ＶＴＲ再生装置４が再生状態とされ、テープを再生し、テレビモニタ２の画面上に映像を映しだしている。すなわち、操作釦５からの操作で再生命令がコントロール回路１１に供給され、コントロール回路１１は、ＶＴＲ再生装置４、映像信号再生回路６、ハードディスク３、映像切り換えスイッチ７、モニタ用信号処理回路８を制御する。
【００１４】
そして、ＶＴＲ再生装置４によってテープから読み取られた信号は、映像信号再生回路６に供給され、映像信号が生成される。この生成された映像信号が映像切り換えスイッチ７の端子ｂ−ｃ、モニタ用信号処理回路８を介して、テレビモニタ２に供給され、テレビモニタ２の画面上に映像を映しだす。
【００１５】
ここで、上述の映像信号再生回路６から出力された映像信号は、画像圧縮エンコーダ９にも供給され、画像圧縮処理がなされる。この信号がハードディスク３に供給され、ハードディスク３で常に所定の時間（数分程度）の信号が蓄えられる。一例として、画像圧縮方式にＪ−ＰＥＧを採用し、ハードディスク３のメモリ量を５００メガバイトとした場合、約４分の映像をハードディスクに蓄えることが可能である。そして、このハードディスク３に蓄えられた映像は、画像圧縮デコーダ１０に供給される。
【００１６】
操作釦５内のリプレイ釦が押された場合には、操作釦５からリプレイ命令がコントロール回路１１に供給される。そして、このコントロール回路１１がリプレイ釦が押されたＴ秒前からの映像を、ハードディスク３から出力するように制御すると共に、映像切り換えスイッチ７の端子ａ−ｃを接続する。また、コントロール回路１１は、ＶＴＲ再生装置４のテープを巻き戻し、Ｓ秒手前から直ちに再生できるように、一時停止状態で待機させる。
【００１７】
そして、画像圧縮デコーダ１０からの信号が映像切り換えスイッチ７の端子ａ−ｃ、モニタ用信号処理回路８を介してモニタ２に供給される。これによって、ハードディスク３に記録された映像を、モニタ２の画面上に映しだすことができる。
【００１８】
図３に、この発明の第１の実施例のリプレイ動作のフローチャートを示す。ステップＳ１では、ＶＴＲ再生装置４が再生状態とされ、モニタ２の画面上にはＶＴＲ再生装置４からの映像が映しだされている。ステップ２では、キャビネット上に配置された操作釦５内のリプレイ釦がマニュアルで押されたか否かがコントロール回路１１で判定される。若し、リプレイ釦が押されたと判定された場合には、処理がステップＳ３へ進む。また、リプレイ釦が押されていないと判定される場合には、処理がステップＳ２の最初に戻り、リプレイ釦が押されるまでこの動作を繰り返す。
【００１９】
ステップＳ３では、リプレイ釦が押されたＴ秒前（例えば１０秒前）からの映像を、ハードディスク３から出力するように、コントロール回路１１が制御し、処理がステップＳ４へ進む。ステップＳ４では、映像切り換えスイッチ７をハードディスク３側に切り換える、すなわち、映像切り換えスイッチ７の端子ａ−ｃが接続される。これにより、瞬時に１０秒前からのハードディスク３に記録された映像がモニタ２の画面上に映しだされ（リプレイ）、処理がステップＳ５へ進む。
【００２０】
ステップＳ５では、ＶＴＲ再生装置４のテープが巻き戻され、リプレイ釦が押されたＳ秒手前から（例えば３秒前）直ちに再生できるように、一時停止状態で待機し、処理がステップＳ６へ進む。ステップＳ６では、ハードディスク３からの映像、すなわち、リプレイが所定時間（例えば、Ｔ−Ｓ＝１０−３＝７秒間）モニタ２の画面上に映しだされたか否かがコントロール回路１１で判定される。若し、リプレイが７秒間、映しだされたと判定された場合には、処理がステップＳ７へ進む。また、リプレイが７秒間未満であると判定された場合には、処理がステップＳ６の最初に戻り、リプレイが７秒間経過するまで待機する。
【００２１】
リプレイが７秒間なされると、ステップＳ７において、ステップＳ５でＶＴＲ再生装置４が３秒手前で一時停止状態とされたものを解除し、ＶＴＲ再生装置４を再生状態とする。次のステップＳ８では、ハードディスク３とＶＴＲ再生装置４とをコントロール回路１１が制御し、リプレイ終了の３秒前からリプレイ終了へ向けて時系列上にフィールド或いはフレーム位相が合っているかどうかが判定される。若し、ハードディスク３とＶＴＲ再生装置４とのフィールド或いはフレーム位相が合っているとコントロール回路１１が判定した場合には、処理がステップＳ９へ進む。
【００２２】
また、ハードディスク３とＶＴＲ再生装置４との位相が合っていないとコントロール回路１１が判定した場合には、処理がステップＳ８の最初に戻り、ハードディスク３とＶＴＲ再生装置４とのフィールド或いはフレーム位相が合うように、コントロール回路１１がＶＴＲ再生装置４のキャプスタンサーボ系を制御する。ステップＳ９では、映像切り換えスイッチ７をＶＴＲ再生装置４側に切り換える。すなわち、映像切り換えスイッチ７の端子ｂ−ｃが接続され、処理がステップＳ２へ戻る。この映像切り換えスイッチ７の切り換えは、ハードディスク３とＶＴＲ再生装置４のフィールド或いはフレーム位相が一致した後ならば、リプレイ終了の３秒前の間で何時でも切り換えて構わない。
【００２３】
このように、リプレイの映像は、ＶＴＲ再生装置４からの映像ではなく、ハードディスク３からの映像が使用される。また、リプレイが終了する少し手前から、ＶＴＲ再生装置４の一時停止が解除され、助走する形でＶＴＲ再生装置４とハードディスク３との間のフィールド或いはフレーム位相が合わせられる。従って、瞬時にリプレイすることができ、また、リプレイ中のテープの進行を止め、さらに、リプレイの映像から再生映像への繋がりをノイズが少なくスムーズに行なうことができる。
【００２４】
なお、ここでは、リプレイを１回１０秒としたが、例えばリプレイ釦を２回押すと２倍の２０秒、３回押すと３倍の３０秒としても構わない。勿論、この場合の最大のリプレイ時間は、ハードディスク３もメモリ量を越えることはできない。また、リプレイ中にリプレイ釦を押すと、さらに１０秒逆上ってリプレイするようにしても良い。
【００２５】
図４に、この発明の第２の実施例のリプレイ機能を有する映像再生装置の斜視図を示す。図４は、第１の実施例と異なり、リプレイ機能付き映像再生装置に対してＶＴＲ一体型ビデオカメラ３０が脱着可能とされ、このＶＴＲ一体型ビデオカメラ３０からの映像がモニタ２の画面上に映しだされ、さらに、ハードディスク３に記録される。なお、ここでは、ハードディスク３が点線で表されている。
【００２６】
図４において、２１で示すリプレイ機能付き映像再生装置は、主に、テレビモニタ２、ハードディスク３、操作釦５（リプレイ釦を含む）、撮影するためのＶＴＲ一体型ビデオカメラ３０、ＶＴＲ一体型ビデオカメラ３０を脱着可能とするための装着部２２、コネクタ２３で構成される。また、ＶＴＲ一体型ビデオカメラ３０は、下部コネクタ３７を有する。
【００２７】
ＶＴＲ一体型ビデオカメラ３０は、キャビネット上部の装着部２２に装着可能であり、装着した場合には、下部コネクタ３７が装着部２２内のコネクタ２３と接続される。そして、ＶＴＲ一体型ビデオカメラ３０からの撮影された映像信号、リプレイ機能付き映像再生装置２１からのコントロール信号、電源等が伝送される。
【００２８】
図５に、第２の実施例の回路構成を示す。図５は、図４に対応するものである。図５において、撮影レンズ３１で撮影された映像は、アンプ３２を介して映像信号処理回路３３に供給される。映像信号処理回路３３で処理された信号は、映像信号記録／再生回路３４に供給され、この信号がＶＴＲ記録／再生部３５でテープに記録されたり、ＶＴＲ一体型ビデオカメラ３０の下部コネクタ３７の端子ａに供給される。これらの制御は、コントロール回路３６からのコントロール信号で行われる。
【００２９】
ここでは、リプレイ機能付き映像再生装置２１にＶＴＲ一体型ビデオカメラ３０が装着されているとして説明するが、分かりやすくするために、図面上（図５）では、リプレイ機能付き映像再生装置２１とＶＴＲ一体型ビデオカメラ３０との間が離して描かれている。また、図５では、電源供給等の配線は、省略されている。
【００３０】
ＶＴＲ一体型ビデオカメラ３０の撮影に使用されたテープがＶＴＲ記録／再生部３５で再生状態とされ、テレビモニタ２の画面上に映像を映しだしている。すなわち、操作釦５からの操作で再生命令がコントロール回路１１に供給される。そして、コントロール回路１１は、コネクタ２３の端子ｂ、コネクタ３７の端子ｂを介してコントロール回路３６を制御すると共に、入力切り換えスイッチ２４、ハードディスク３、映像切り換えスイッチ７、モニタ用信号処理回路８を制御する。
【００３１】
そして、ＶＴＲ記録／再生部３５によるテープから読み取られた信号は、映像信号記録／再生回路３４に供給され、映像信号が生成される。この生成された映像信号が、コネクタ３７の端子ａ、コネクタ２３の端子ａを介して入力切り換えスイッチ２４の端子ｃに供給される。そして、この信号が入力切り換えスイッチ２４の端子ｃ−ｄ、映像切り換えスイッチ７の端子ｂ−ｃ、モニタ用信号処理回路８を介して、テレビモニタ２に供給され、テレビモニタ２の画面上に映像を映しだす。
【００３２】
ここで、上述の映像信号記録／再生回路３４から出力された映像信号は、コネクタ３７の端子ａ、コネクタ２３の端子ａ、入力切り換えスイッチ２４の端子ｃ−ｄを介して画像圧縮エンコーダ９にも供給され、画像圧縮処理がなされる。この信号がハードディスク３に供給され、ハードディスク３で常に所定の数分間の信号が蓄えられる。そして、このハードディスク３に蓄えられた映像は、画像圧縮デコーダ１０に供給される。
【００３３】
操作釦５内のリプレイ釦が押された場合には、操作釦５からリプレイ命令がコントロール回路１１に供給される。そして、このコントロール回路１１がリプレイ釦が押されたＴ秒前からの映像を、ハードディスク３から出力するように制御すると共に、映像切り換えスイッチ７の端子ａ−ｃを接続する。また、コントロール回路１１からの出力信号は、コネクタ２３の端子ｂ、コネクタ３７の端子ｂを介してコントロール回路３６に供給され、コントロール回路３６がＶＴＲ記録／再生部３５のテープを巻き戻し、Ｓ秒手前から直ちに再生できるように、一時停止状態で待機させる。
【００３４】
よって、画像圧縮デコーダ１０からの信号が映像切り換えスイッチ７の端子ａ−ｃ、モニタ用信号処理回路８を介してモニタ２に供給される。これによって、ハードディスク３に記録された映像を、モニタ２の画面上に映しだすことができる。
【００３５】
また、入力切り換えスイッチ２４の端子ａ−ｄを接続することにより、アンテナ２６で受信され、テレビチューナー２５を介した映像信号を、モニタ２の画面上に映しだすことができる。さらに、入力切り換えスイッチ２４の端子ｂ−ｄを接続することにより、例えば他のＶＴＲ再生装置等の外部から入力される映像信号をモニタ２の画面上に映しだすことができる。勿論、これらの映像は、上述と同様に、ハードディスク３に記録し、リプレイとすることができる。
【００３６】
なお、この発明の第１および第２の実施例では、リプレイ釦が押された場合、ＶＴＲ再生装置４およびＶＴＲ記録／再生部３５がＳ秒手前にテープを巻き戻したが、リプレイ釦が押された時点で単なる一時停止状態としても構わない。また、第２の実施例において、リプレイ機能付き映像再生装置にリプレイ釦およびハードディスクを備えたが、ＶＴＲ一体型ビデオカメラにリプレイ釦およびハードディスクを備えても良い。この場合には、通常のテレビジョン装置に対してＶＴＲ一体型ビデオカメラからの映像信号および音声信号が出力されることになる。
【００３７】
さらになお、ハードディスクを例に用いたが、ランダムに呼び出せるメモリ装置であれば、半導体メモリ等でも勿論構わない。また、磁気テープ以外のテープ状記録媒体（例えば、光磁気テープ）を使用した再生装置を使用しても良い。さらに、リプレイ釦がリプレイ機能付き映像再生装置のキャビネット上にあり、マニュアル操作で説明したが、赤外線方式を使用したリモートコマンダにより、遠隔操作としても良いことは言うまでもない。よりさらに、リプレイを単に通常のスピードで再生するばかりでなく、スロー再生、或いは、コマ送り再生としても良く、このように種々の変形が考えられる。
【００３８】
【発明の効果】
この発明は、瞬時に見たい映像をリプレイすることができ、さらに、リプレイの映像を見終わった後でもテープを巻き戻さずに再生映像の続きから見ることができる。そして、テープの巻き戻しを行わず、或いは、巻き戻し量を削減することにより、痛みやすいテープおよびＶＴＲ再生装置の駆動機構への負担を軽減することができる。また、リプレイ後はテープの再生が自動的に始まるので、簡単で便利である。このような特殊再生（リプレイ）は、スポーツのフォームの解析等に役立つものである。すなわち、一本のテープを単に再生する場合と比べて、何倍も楽しむことができる。
【図面の簡単な説明】
【図１】この発明が適用できる第１の実施例のリプレイ機能を有する映像再生装置を示す斜視図である。
【図２】この発明の第１の実施例の回路構成を示すブロック図である。
【図３】この発明の第１の実施例のリプレイ動作を示すフローチャートである。
【図４】この発明が適用できる第２の実施例のリプレイ機能を有する映像再生装置を示す斜視図である。
【図５】この発明の第２の実施例の回路構成を示すブロック図である。
【符号の説明】
１、２１  リプレイ機能を有する映像再生装置
２  テレビモニタ
３  ハードディスク
４  ＶＴＲ再生装置
５  操作釦
【図１】
0003582204.tif 000002
【図２】
0003582204.tif 000003
【図３】
0003582204.tif 000004
【図４】
0003582204.tif 000005
【図５】
0003582204.tif 000006